(57)【要約】【課題】操作者が検査中に患者の取り違えに気付いた際、情報修正に必要な手番を減らし、操作者の操作性を向上させて、誤りを削減する。【解決手段】検査に必要な検査情報を入力する検査情報入力部と、検査の開始から終了までの間に、検査を、検査情報と関連する第１の検査と、検査情報と関連しない第２の検査とに分割する指示を受け付ける検査分割受付部と、検査により撮影済みの画像を、第１の検査または第２の検査と関連付けて振り分けるための指示を受け付ける画像振り分け指示受付部と、を備える。【選択図】図３
2014023645.tif 000002
【特許請求の範囲】
【請求項１】
検査に必要な検査情報を入力する検査情報入力手段と、
前記検査の開始から終了までの間に、前記検査を、前記検査情報と関連する第１の検査と、前記検査情報と関連しない第２の検査とに分割する指示を受け付ける検査分割受付手段と、
前記検査により撮影済みの画像を、前記第１の検査または前記第２の検査と関連付けて振り分けるための指示を受け付ける画像振り分け指示受付手段と、
を備えることを特徴とするＸ線撮影装置。
【請求項２】
前記検査情報入力手段は、前記検査が分割された場合、前記第２の検査に必要な検査情報を入力することを特徴とする請求項１に記載のＸ線撮影装置。
【請求項３】
前記検査情報入力手段は、前記第２の検査の開始前に、前記第２の検査に必要な検査情報を入力することを特徴とする請求項２に記載のＸ線撮影装置。
【請求項４】
前記第２の検査に、前記第１の検査とは異なる検査識別番号を付与する付与手段をさらに備えることを特徴とする請求項１乃至３の何れか１項に記載のＸ線撮影装置。
【請求項５】
前記検査の開始の指示を受け付ける開始指示受付手段と、
前記検査の終了の指示を受け付ける終了指示受付手段と、
をさらに備えることを特徴とする請求項１乃至４の何れか１項に記載のＸ線撮影装置。
【請求項６】
前記終了指示受付手段は、前記検査が分割された場合、前記第１の検査の終了の指示を受け付けることを特徴とする請求項５に記載のＸ線撮影装置。
【請求項７】
前記検査情報入力手段は、
操作者からの入力を受け付けて前記検査情報を入力する、
外部機器から取得した複数の検査情報から前記操作者により選択された検査情報を入力する、または、
前記検査情報を自動作成して入力する、
ことを特徴とする請求項１乃至６の何れか１項に記載のＸ線撮影装置。
【請求項８】
前記画像振り分け指示受付手段は、
前記第１の検査と関連付けられるべき画像の選択を受け付ける、
前記第２の検査と関連付けられるべき画像の選択を受け付ける、または、
前記第１の検査と関連付けられるべき画像と、前記第２の検査と関連付けられるべき画像との境界位置の指定を受け付ける、
ことにより前記撮影済みの画像を振り分けることを特徴とする請求項１乃至７の何れか１項に記載のＸ線撮影装置。
【請求項９】
前記第２の検査と関連付けて振り分けられた画像のシリーズ番号と、前記第２の検査と関連付けて振り分けられた画像のシリーズ番号とをそれぞれ設定する設定手段をさらに備えることを特徴とする請求項１乃至８の何れか１項に記載のＸ線撮影装置。
【請求項１０】
１つの検査情報に従った検査において同一の検査部位が複数回撮影されたことを通知する通知手段をさらに備えることを特徴とする請求項１乃至９の何れか１項に記載のＸ線撮影装置。
【請求項１１】
前記検査分割受付手段により検査を分割する指示が受け付けられた場合、前記検査を分割するか否かを確認する確認手段をさらに備えることを特徴とする請求項１０に記載のＸ線撮影装置。
【請求項１２】
複数の放射線画像を１単位の検査に関連付けて管理することが可能なＸ線撮影装置であって、
第１の検査の開始の指示に応じて、前記第１の検査を実行するための表示画面を表示部に表示させる表示制御手段と、
前記開始された検査の情報を撮影により得られた放射線画像に関連付けて記憶する記憶手段と、を有し、
前記表示制御手段はさらに、前記第１の検査の情報が関連付けられた複数の放射線画像のうち少なくとも１つの放射線画像について、前記第１の検査の情報に代えて前記第１の検査の情報とは異なる第２の検査の情報を関連付ける操作を受け付けるためのＧＵＩを前記第１の検査を実行するための表示画面中に表示させる
ことを特徴とするＸ線撮影装置。
【請求項１３】
検査情報入力手段と、検査分割受付手段と、画像振り分け指示受付手段とを備えるＸ線撮影装置の制御方法であって、
前記検査情報入力手段が、検査に必要な検査情報を入力する検査情報入力工程と、
前記検査分割受付手段が、前記検査の開始から終了までの間に、前記検査を、前記検査情報と関連する第１の検査と、前記検査情報と関連しない第２の検査とに分割する指示を受け付ける検査分割受付工程と、
前記画像振り分け指示受付手段が、前記検査により撮影済みの画像を、前記第１の検査または前記第２の検査と関連付けて振り分けるための指示を受け付ける画像振り分け指示受付工程と、
を有することを特徴とするＸ線撮影装置の制御方法。
【請求項１４】
コンピュータを、請求項１乃至１２の何れか１項に記載のＸ線撮影装置の各手段として機能させるためのプログラム。
【発明の詳細な説明】
【技術分野】
【０００１】
本発明は、Ｘ線撮影装置、Ｘ線撮影装置の制御方法、およびプログラムに関する。
【背景技術】
【０００２】
従来、撮影されたＸ線画像等の医用画像は、画像処理装置へ送出されて所定の画像処理が施され、画像表示装置（ビューワ）や画像保管装置（サーバ）等の外部装置へ出力されている。このとき、撮影されたＸ線画像に付帯されるべき付帯情報も併せて出力されるが、付帯情報としては、患者氏名、患者ＩＤ、生年月日、性別等の患者情報や、検査ＩＤ、検査コメント、検査日時等の検査情報がある（特許文献１参照）。
【先行技術文献】
【特許文献】
【０００３】
【特許文献１】特開２００４−２９０２２４号公報
【発明の概要】
【発明が解決しようとする課題】
【０００４】
しかしながら、特許文献１に記載の技術では、操作者が検査対象となる患者を取り違えたことに気付いた場合、同一検査中の変更対象以外の画像が持つ付帯情報を、操作者が意識しないまま変更してしまい、診断時に意図した患者以外の画像を診断してしまう可能性がある。また、検査中に修正操作を行うと操作手番が多くなり、誤修正の危険性や患者の待機時間が長くなるという問題もある。
【０００５】
上記の課題に鑑み、本発明は、操作者が検査中に患者の取り違えに気付いた際、情報修正に必要な手番を減らし、操作者の操作性を向上させて、誤りを削減することを目的とする。
【課題を解決するための手段】
【０００６】
上記の目的を達成する本発明に係るＸ線撮影装置は、
検査に必要な検査情報を入力する検査情報入力手段と、
前記検査の開始から終了までの間に、前記検査を、前記検査情報と関連する第１の検査と、前記検査情報と関連しない第２の検査とに分割する指示を受け付ける検査分割受付手段と、
前記検査により撮影済みの画像を、前記第１の検査または前記第２の検査と関連付けて振り分けるための指示を受け付ける画像振り分け指示受付手段と、
を備えることを特徴とする。
【発明の効果】
【０００７】
本発明によれば、検査中に患者の取り違えに気付いた際、情報修正に必要な手番を減らすことができるため、操作者の操作性を向上させ、誤りを削減することができる。また、操作性の向上により、検査中の患者の情報修正に伴い発生する待機時間を削減することができる。
【図面の簡単な説明】
【０００８】
【図１】第１実施形態に係るＸ線撮影システムの構成図。
【図２】第１実施形態に係る検査の処理手順を示すフローチャート。
【図３】第１実施形態に係る検査中の検査分割処理の手順を示すフローチャート。
【図４】第１実施形態に係る撮影画面ＧＵＩの一例を示す図。
【図５】第１実施形態に係る分割実施確認ダイアログの一例を示す図。
【図６】第１実施形態に係る検査情報再入力ダイアログの一例を示す図。
【図７】第１実施形態に係る分割後の撮影画面ＧＵＩの一例を示す図。
【図８】第２実施形態に係る分割後の撮影画面ＧＵＩの一例を示す図。
【図９】第３実施形態に係る同一の検査部位が複数回撮影された時の警告ダイアログの一例を示す図。
【発明を実施するための形態】
【０００９】
以下、添付の図面を参照して、本発明の実施の形態を説明する。
【００１０】
（第１実施形態）
第１実施形態では、複数の撮影が行われる一連の検査であって、その検査の開始が指示された後、検査の終了が指示されるまでの一連の検査の間に、途中で患者の取り違えなどに気付いた操作者から、検査を分割する指示を受け付ける構成を説明する。
【００１１】
図１を参照して、第１実施形態に係るＸ線撮影システムの構成の一例を説明する。Ｘ線撮影装置１０５は、Ｘ線発生部１０６と、センサ部１０７とを備えている。Ｘ線発生部１０６から被写体へＸ線が照射され、被写体を透過したＸ線がセンサ部１０７により画像化される。Ｘ線撮影装置１０５により撮影された画像は、ネットワークを通じて制御装置１０１へ転送される。
【００１２】
制御装置１０１は、表示部１０２と、操作部１０３と、制御部１０４とを備えている。表示部１０２は、Ｘ線撮影装置１０５から受信した画像データやＧＵＩ（グラフィカル・ユーザ・インタフェース）などを表示する液晶ディスプレイなどである。操作部１０３は、マウス、キーボード、照射スイッチなどで構成され、操作者から検査に必要な患者情報等の検査情報のコマンド入力を受け付けたり、Ｘ線撮影指示を受け付けたりする。また、操作部１０３は、検査の開始指示受付を行ったり、検査の終了指示受付を行ったりする。制御部１０４は、操作者による入力に基づいて、センサ部１０７の駆動やＸ線発生部１０６の駆動を制御する機能や、撮影された画像データに対して画像処理を行う機能を有している。また、補正データ、Ｘ線撮影条件、画像データなどを、データベース等を用いて管理する。
【００１３】
また、制御部１０４は、操作者から受け付けられた検査の開始指示／終了指示に応じた開始処理／終了処理や、Ｘ線撮影装置１０５から受信した撮影画像や、検査情報に対する編集処理を行う。制御部１０４は、操作部１０３を介して受け付けられた操作者の指示により、画像データを外部機器１０８へ転送する機能も有する。
【００１４】
外部機器１０８は、制御装置１０１から転送された画像データを保存、表示するための外部機器であり、より一般的にはＰＡＣＳ(Picture Archiving and Communication System)として実現されるものである。
【００１５】
次に図２のフローチャートを参照して、一般的な検査の処理手順を説明する。
【００１６】
Ｓ２０１において、操作部１０３は、操作者から患者情報などの検査情報入力を受け付ける。なお、検査情報入力は、表示部１０２に表示されたＧＵＩを用いて行ってもよい。Ｓ２０２において、制御装置１０１は、操作者からの検査開始指示に応じて検査開始処理を行う。
【００１７】
Ｓ２０３において、操作部１０３は、操作者から撮影指示の入力を受け付ける。Ｓ２０４において、制御装置１０１は、Ｘ線撮影装置１０５により撮影された撮影画像を受信する。Ｓ２０５において、制御装置１０１は、撮影画像に対して必要な画像処理を行う。
【００１８】
Ｓ２０６において、制御装置１０１は、検査に必要な撮影が完了したか否かを判定する。必要な撮影が完了したと判定された場合（Ｓ２０６；ＹＥＳ）、検査を終了する。一方、まだ必要な撮影が完了していないと判定された場合（Ｓ２０６；ＮＯ）、Ｓ２０３に戻る。
【００１９】
次に図３のフローチャートを参照して、第１実施形態に係る検査中の検査分割処理の手順を説明する。図２に示した検査開始から検査終了までの間に患者の取り違えが発覚した場合、操作者は、制御装置１０１の表示部１０２に表示されたＧＵＩおよび操作部１０３を用いて、実施中の検査を、それまでの患者に関連する第１の検査と、別の患者に関連する第２の検査とに分割する処理を行う。
【００２０】
Ｓ３０１において、操作部１０３は、Ｓ２０１で入力された検査情報と関連する実施中の検査に必要な画像と、Ｓ２０１で入力された検査情報と関連しない分割後の検査に必要な画像とを判別するために、撮影済みの画像の振り分け指示を受け付ける。この処理は、一般的にＧＵＩ表示される撮影画像のうち、分割後の検査に含ませるべき撮影画像を操作者が選択することにより実行される。
【００２１】
Ｓ３０２において、操作部１０３は、操作者から分割処理指示の入力を受け付ける。この処理は、一般的に、ＧＵＩ表示される検査分割受付ボタンを押下することにより実行される。
【００２２】
Ｓ３０３において、表示部１０２は、Ｓ３０２の分割処理指示の入力に応じて、操作者に対して分割実施の確認入力を促す。この処理は、一般的に、検査分割を本当に実施するか否かを確認するダイアログを表示し、操作者が何れかを選択することにより確認入力が実行される。検査分割を実施する場合（Ｓ３０３；ＹＥＳ）、Ｓ３０４へ進む。一方、検査分割を実施しない場合（Ｓ３０３；ＮＯ）、処理を終了する。なお、Ｓ３０１の画像振り分け指示の受付処理と、Ｓ３０２の分割処理指示の受付処理およびＳ３０３のダイアログ表示処理と、の順番は逆であってもよい。すなわち、検査分割受付ボタンを押下し、ダイアログ確認を経て、検査分割を行うことを決定してから、画像の振り分けを行ってもよい。
【００２３】
Ｓ３０４において、制御部１０４は、Ｓ３０１での画像振り分け指示に基づいて、終了する検査（第１の検査）と、分割する検査（第２の検査）とに必要な画像をそれぞれ振り分ける。これにより、実施中の検査は必要な画像のみを含んだ状態になる。この撮影画像の振り分け処理では、それぞれの検査に振り分けられた撮影画像のシリーズ番号を再設定してもよい。
【００２４】
Ｓ３０５において、制御部１０４は、実施中の検査についての終了通知を行う。Ｓ３０６において、制御部１０４は、操作者からの入力に応じて検査終了処理を実行する。
【００２５】
Ｓ３０７において、制御部１０４は、分割後の検査に必要な画像としてＳ３０１で振り分け指示された撮影画像を含む検査を新規作成し、新しい検査識別番号を発行する。これにより、実施中の検査は、入力された検査情報と関連する第１の検査（実施中の検査そのもの）と、入力された検査情報とは関連しない第２の検査とに分割されることになる。
【００２６】
Ｓ３０８において、操作部１０３は、操作者から、新規作成された検査に対して、撮影画像に対応した患者情報等の検査情報の再入力を受け付ける。この処理は、一般的に、表示部１０２にＧＵＩで表示されたダイアログに対して、操作者が必要な患者情報をキーボードなどの操作部１０３から入力することにより実行される。あるいは、タッチパネルとして表示部１０２上で操作者が情報を入力する構成であってもよい。検査情報の再入力は、分割後の検査の開始前に実行される。
【００２７】
Ｓ３０９において、制御部１０４は、新規検査に対して検査情報再入力が行われると、検査開始処理を実行する。分割後の検査は、検査中の状態となり、図２のＳ２０２における検査開始後の状態へと移行する。
【００２８】
次に図４乃至図７を参照して、第１実施形態に係るＸ線撮影システムで表示するＧＵＩの例を示す。図４は、撮影画面のＧＵＩの一例である。ウィンドウ４０１は、制御装置１０１が有する表示部１０２において検査中に表示されるＧＵＩウィンドウである。ウィンドウ４０１は、Ｘ線撮影装置１０５から取得した撮影画像を表示する取得画像表示部４０２と、実施中の検査に対応する患者情報を表示する患者情報表示部４０３と、検査番号や撮影プロトコル、撮影済みのサムネイル画像４０５などを表示する検査情報表示部４０４とを有する。患者情報表示部４０３に表示される患者情報としては、患者ＩＤ、患者名、性別、生年月日等が挙げられる。
【００２９】
また画像４０８は、サムネイル画像４０５のうちの１つの詳細画像である。番号４０９は、検査内の撮影画像に付与された画像シリーズ番号である。番号４０９は、撮影画像に対する情報として関連付けられていればよく、必ずしもサムネイル画像４０５上に表示されなくてもよい。選択アイコン４１０は、撮影画像の選択状態を示すアイコンである。選択中の撮影画像は、次に指示される処理の対象として認識される。正常に検査に必要な撮影が完了した場合は、検査終了ボタン４０７の押下によって、検査終了となる。
【００３０】
検査中に、検査情報表示部４０４に表示されている画像の一部を別検査に分割したい場合、サムネイル画像４０５のうち、別検査に分割したい画像を選択状態にする。これは、撮影画像の振り分け指示に相当する（Ｓ３０１）。その後、検査分割受付ボタン４０６を押下することで、分割処理指示が行われる（Ｓ３０２）。
【００３１】
図５は、検査分割処理が指示された場合に表示される分割実施確認ダイアログの一例である。検査分割受付ボタン４０６が押下された後、分割実施確認ダイアログ５０１が表示される（Ｓ３０３）。このとき、決定ボタン５０２を押下すると検査分割処理が実行され、中止ボタン５０３を押下すると検査分割処理は中止される。
【００３２】
検査分割が実行されると、検査画像の振り分けが行われる（Ｓ３０４）。終了する検査（第１の検査）の画像については、ウィンドウ４０１に表示されている実施中であった検査は、患者情報表示部４０３に表示されていた患者情報と、検査情報表示部４０４において選択状態にされなかった画像とを含む状態で、終了通知処理（Ｓ３０５）および検査終了処理（Ｓ３０６）が実行される。
【００３３】
一方、分割する検査（第２の検査）の画像については、新しい検査識別番号が発行され（Ｓ３０７）、新規作成された検査に必要な検査情報の再入力を行う（Ｓ３０８）。ここで図６は、分割後の検査への検査情報再入力のためのＧＵＩの一例である。運用形態に適した検査情報再入力のためのＧＵＩが表示される。ＭＷＬ(Modality Worklist)などを使用して外部システムから検査情報入力を行う運用形態の場合は、検査リストダイアログ６０１が表示される。一方、検査ごとに患者情報をマニュアルで入力する運用形態の場合は、マニュアル入力ダイアログ７０２が表示される。また、この他に、緊急患者の検査を行う場合などは、患者情報が制御装置１０１から自動作成されて発行されてもよい。検査情報の再入力の後、検査開始処理が行われ（Ｓ３０９）、分割後の検査が開始される。
【００３４】
図７は、第１実施形態に係る分割後の撮影画面ＧＵＩの一例である。検査中に表示されるウィンドウ７０１には、図４の検査情報表示部４０４において選択された画像が、撮影済みのサムネイル画像７０４として保持されており、患者情報表示部７０２および検査情報表示部７０３には、検査情報の再入力処理（Ｓ３０８）で入力された情報が設定される。例えば、図６の検査リストダイアログ６０１に示されるように、検査番号が０００００２、患者ＩＤがＰ００２、患者名がＢＢＢ、性別が女性であった場合、患者情報表示部７０２および検査情報表示部７０３にはそれらの情報が表示されることになる。この検査に対して、一連の検査において未実施の撮影がある場合、その撮影を実行可能となる。
【００３５】
以上説明したように、本実施形態によれば、検査中の検査の一部の画像を容易に別検査に分割可能になる。そのため、操作者の操作回数が低減され、操作者の利便性向上や、取り違えが起きた場合の患者の待機時間を低減し、検査のスループットおよび正確性を向上することができる。
【００３６】
（第２実施形態）
第１実施形態では、分割処理を行う際のＧＵＩ操作について、撮影画像振り分け指示(Ｓ３０１)として、分割後の検査に含めるべき画像を選択状態にし、分割処理指示(Ｓ３０２)として、検査分割受付ボタン４０６を押下する構成を説明した。これに対して、第２実施形態では、分割後の検査に含めたくない画像を選択状態にする構成を説明する。
【００３７】
図８は、第２実施形態に係る分割後の撮影画面ＧＵＩの一例である。ウィンドウ８０１は、制御装置１０１が有する表示部１０２において検査中に表示されるＧＵＩウィンドウである。
【００３８】
ウィンドウ８０１は、実施中の検査に対応する患者情報を表示する患者情報表示部８０２と、検査番号や撮影プロトコルや撮影済みのサムネイル画像８０４などを表示する検査情報表示部８０３とを有する。患者情報表示部８０２に表示される患者情報としては、患者ＩＤ、患者名、性別、生年月日等が挙げられる。検査に必要な撮影が正常に完了した場合は、検査終了ボタン８０５を押下することによって検査終了となる。
【００３９】
図８に示されるように、検査中に、検査情報表示部８０３に表示されている画像から一部を別検査に分割したい場合、サムネイル画像８０４のうち、実施中の検査に対応した撮影画像を選択状態にする。すなわち、第１実施形態とは異なり、検査分割をするために選択状態にする画像は、別検査に分割したい画像を対象とするのではなく、分割したくない画像が対象である。これは撮影画像の振り分け指示(Ｓ３０１)に相当する。その後、検査終了ボタン８０５を押下することにより、分割処理指示(Ｓ３０２)が行われる。その他の処理については第１実施形態と同様であるため、説明を省略する。
【００４０】
また、検査の撮影画像が時系列に並んでいる場合、実施中の検査に含める画像は、検査の途中で患者を取り違えて撮影を行った画像よりも前に並んでいると考えられる。したがって、実施中の検査に含めるべき画像と分割後の検査に含める画像との境界位置を指定することによって、撮影画像振り分け指示(Ｓ３０１)を行ってもよい。撮影画像が２枚であって撮影画像振り分け指示(Ｓ３０１)を行わずに検査分割受付ボタン４０６の押下によって分割処理指示（Ｓ３０２）を行った場合、前に撮影された１枚の画像を実施中の検査に含めて検査分割処理を行ってもよい。
【００４１】
（第３実施形態）
ひとつの検査で複数の患者を撮影してしまう事例は、検診などで起こりやすいと考えられる。これは、一人一枚同じ部位の撮影を行っている場合、操作者が検査終了処理を行うのを失念することによって引き起こされる。ひとつの検査に含まれるべき同一検査部位の撮影画像はひとつになるはずである。
【００４２】
第３実施形態では、同一検査部位が連続して複数回撮影された場合に、その旨を操作者へ通知し、分割の必要の有無を操作者に確認させるためのダイアログを表示させる構成を説明する。
【００４３】
図９は、第３実施形態に係る同一部位連続撮影時の警告ダイアログの一例である。ウィンドウ９０１は、制御装置１０１が有する表示部１０２において検査中に表示されるＧＵＩウィンドウである。同一部位が連続して撮影された場合、操作者に患者情報などの検査情報の確認を促すダイアログ９０２を表示させて操作者へ通知する。
【００４４】
ダイアログ９０２を閉じたあと、操作者は検査情報の確認を行い、必要が有れば検査分割処理を行う。なお写損の場合や再撮影の場合には警告ダイアログを表示しないように構成してもよい。
【００４５】
以上説明したように、本実施形態によれば、検査終了を忘れて患者の同一検査部位を撮影したことに気付きやすくなり、検査の正確性が向上する。
【００４６】
なお、第１の検査の開始の指示に応じて、第１の検査を実行するための表示画面を表示部に表示させる表示制御を行い、開始された検査の情報を撮影により得られた放射線画像に関連付けて記憶し、そして第１の検査の情報が関連付けられた複数の放射線画像のうち少なくとも１つの放射線画像について、第１の検査の情報に代えて第１の検査の情報とは異なる第２の検査の情報を関連付ける操作を受け付けるためのＧＵＩを第１の検査を実行するための表示画面中に表示させてもよい。これにより複数の放射線画像を１単位の検査に関連付けて管理することができる。
【００４７】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014023645.tif 000003
【図２】
2014023645.tif 000004
【図３】
2014023645.tif 000005
【図４】
2014023645.tif 000006
【図５】
2014023645.tif 000007
【図６】
2014023645.tif 000008
【図７】
2014023645.tif 000009
【図８】
2014023645.tif 000010
【図９】
2014023645.tif 000011